(57)【要約】【課題】操作性を向上させて音声データの文区切りを設定すること。【解決手段】無音検出部１０６は、音声データに含まれる無音区間を検出し、無音情報保持部１０７は、無音区間の尤度を算出し、設定部１０８は、検出された無音区間のうち、予め設定された閾値以上の尤度を有する無音区間を音声データの区切り位置として設定し、修正部１１２は、音声データの区切りの追加を指示する修正指示が発生した時刻の直前の区切り位置と、修正指示が発生した時刻の直後の区切り位置との間の区間内の無音区間のうち、尤度が最も高い無音区間を音声データの区切り位置として追加する。【選択図】図１
2011022214.tif 000002
【特許請求の範囲】
【請求項１】
音声データに含まれる無音区間を検出する検出手段と、
前記無音区間の尤度を算出する算出手段と、
検出された前記無音区間のうち、予め設定された閾値以上の前記尤度を有する無音区間を前記音声データの区切り位置として設定する設定手段と、
前記音声データの区切りの追加を指示する修正指示に従って、前記音声データの区切りを修正する修正手段と、を具備し、
前記修正手段は、前記修正指示が発生した時刻の直前の前記区切り位置と、前記修正指示が発生した時刻の直後の前記区切り位置との間の区間内の無音区間のうち、前記尤度が最も高い無音区間を前記音声データの区切り位置として追加する、
音声編集装置。
【請求項２】
前記設定手段によって区切りが設定された前記音声データにおいて、前記区切り位置に対応する無音区間の再生時間を前記尤度に応じて伸長して、前記無音区間の前記再生時間が伸長された前記音声データを提示する提示手段を、さらに具備する、
請求項１記載の音声編集装置。
【請求項３】
請求項１記載の音声編集装置を搭載する無線端末装置。
【請求項４】
音声データに含まれる無音区間を検出する検出ステップと、
前記無音区間の尤度を算出する算出ステップと、
検出された前記無音区間のうち、予め設定された閾値以上の前記尤度を有する無音区間を前記音声データの区切り位置として設定する設定ステップと、
前記音声データの区切りの追加を指示する修正指示に従って、前記音声データの区切りを修正する修正ステップと、を具備し、
前記修正ステップは、前記修正指示が発生した時刻の直前の前記区切り位置と、前記修正指示が発生した時刻の直後の前記区切り位置との間の区間内の無音区間のうち、前記尤度が最も高い無音区間を前記音声データの区切り位置として追加する、
区切修正方法。
【発明の詳細な説明】
【技術分野】
【０００１】
本発明は、音声編集装置および区切修正方法に関するものである。
【背景技術】
【０００２】
近年、音声データを文単位で分割する等の音声編集を行う音声編集装置を携帯電話機等の無線端末装置に搭載することが検討されている。
【０００３】
例えば、音声編集装置は、音声データにおいてパワーレベルが所定の値以下の区間を無音区間として特定し、特定した無音区間を区切りとして音声データを文単位で分割することが考えられている。例えば、音声データの波形データをディスプレイ等の表示部に表示し、表示された波形データに基づいて、音声データの文単位の区切りの位置（文区切り位置）として無音区間を視覚的に特定する技術が提案されている（例えば、特許文献１参照）。
【０００４】
しかしながら、一般に無線端末装置に用いられる表示部は小型である。そのため、無線端末装置に音声編集装置を搭載した場合には、上述したように表示部に表示された音声データの波形データに基づいて文区切り位置を特定する操作は困難となる。
【０００５】
そこで、音声データの文区切りを設定（または追加）したい位置（再生時刻）付近で、例えばボタン入力によって文区切りの設定を指示することで、指示が入力された位置（再生時刻）の直前の無音区間を区切り位置に設定する従来技術が提案されている（例えば、特許文献２参照）。これにより、無音区間の視覚的な特定が不要となるため、無線端末装置に音声編集装置を搭載する場合でも、表示部を用いることなく、音声データの文区切りを設定することが可能となる。
【先行技術文献】
【特許文献】
【０００６】
【特許文献１】特開平２−２６２７００号公報
【特許文献２】特開平９−０６２２９６号公報
【発明の概要】
【発明が解決しようとする課題】
【０００７】
しかしながら、上記従来技術のように、文区切りの設定が指示された位置（再生時刻）の直前の無音区間を文区切り位置として設定する場合には、文区切りの設定を指示するタイミングが所望の位置（文区切りを設定したい位置）の近くでなければ、誤った位置を文区切り位置として設定してしまう可能性がある。例えば、無音区間が複数存在する場合には、所望の文区切り位置（無音区間）と文区切りの設定を指示するタイミングとが離れてしまうと、所望の文区切り位置と文区切りの設定を指示するタイミングとの間に、他の無音区間が存在する可能性が高くなる。すなわち、音声編集装置は、文区切りの設定を指示するタイミングの直前の他の無音区間を文区切り位置として設定してしまう可能性が高くなる。よって、上記従来技術では、適切な位置（再生時刻）に文区切りを設定するためには、所望の文区切り位置（無音区間）の直近で文区切りの設定を指示する必要がある。このため、音声編集装置では、適切に文区切り位置を設定するための、ユーザが指示可能な時間帯が短くなり、文区切り位置を設定するためのユーザの操作性が悪くなってしまう。
【０００８】
本発明の目的は、操作性を向上させて音声データの文区切りを設定することができる音声編集装置および区切修正方法を提供することである。
【課題を解決するための手段】
【０００９】
本発明の音声編集装置は、音声データに含まれる無音区間を検出する検出手段と、前記無音区間の尤度を算出する算出手段と、検出された前記無音区間のうち、予め設定された閾値以上の前記尤度を有する無音区間を前記音声データの区切り位置として設定する設定手段と、前記音声データの区切りの追加を指示する修正指示に従って、前記音声データの区切りを修正する修正手段と、を具備し、前記修正手段は、前記修正指示が発生した時刻の直前の前記区切り位置と、前記修正指示が発生した時刻の直後の前記区切り位置との間の区間において、前記尤度が最も高い無音区間を前記音声データの区切り位置として追加する構成を採る。
【００１０】
本発明の区切修正方法は、音声データに含まれる無音区間を検出する検出ステップと、前記無音区間の尤度を算出する算出ステップと、検出された前記無音区間のうち、予め設定された閾値以上の前記尤度を有する無音区間を前記音声データの区切り位置として設定する設定ステップと、前記音声データの区切りの追加を指示する修正指示に従って、前記音声データの区切りを修正する修正ステップと、を具備し、前記修正ステップは、前記修正指示が発生した時刻の直前の前記区切り位置と、前記修正指示が発生した時刻の直後の前記区切り位置との間の区間において、前記尤度が最も高い無音区間を前記音声データの区切り位置として追加するようにする。
【発明の効果】
【００１１】
本発明によれば、操作性を向上させて音声データの文区切りを設定することができる。
【図面の簡単な説明】
【００１２】
【図１】本発明の一実施の形態に係る音声編集装置の構成を示すブロック図
【図２】本発明の一実施の形態に係る音声編集処理を示すブロック図
【発明を実施するための形態】
【００１３】
以下、本発明の実施の形態について、添付図面を参照して詳細に説明する。なお、以下の実施の形態に係る音声編集装置は、例えば、携帯電話機等の無線端末装置に搭載される。
【００１４】
本実施の形態に係る音声編集装置１００の構成を図１に示す。図１に示す音声編集装置１００において、符号化音声データ保持部１０１は、符号化された音声データを保持する。そして、符号化音声データ保持部１０１は、保持している音声データを復号部１０２に出力する。
【００１５】
復号部１０２は、符号化音声データ保持部１０１から入力される音声データを復号する。そして、復号部１０２は、復号後の音声データを無音検出部１０６に出力する。また、復号部１０２は、提示部１０３からの指示に従って、復号後の音声データに文区切りを挿入し、文区切りが挿入された音声データを出力部１０４に出力する。
【００１６】
提示部１０３は、後述する文区切候補情報保持部１１０から入力される文区切候補情報に示される文区切候補を提示するように復号部１０２に指示する。例えば、提示部１０３は、文区切候補情報に示される文区切候補を、音、光または振動等で提示するように指示する。
【００１７】
出力部１０４は、復号部１０２から入力される音声データを出力する。また、出力部１０４は、音声データに挿入された文区切りを、音、光または振動等で提示する。
【００１８】
再生時刻情報保持部１０５は、音声データの再生時刻を示す再生時刻情報を保持する。そして、再生時刻情報保持部１０５は、現在再生されている音声データの再生時刻を無音検出部１０６および修正部１１２に出力する。
【００１９】
無音検出部１０６は、復号部１０２から入力される音声データに含まれる無音区間を検出する。具体的には、無音検出部１０６は、音声データのパワーレベルと、予め設定された閾値（以下、検出閾値という）とを比較して、検出閾値以下のパワーレベルを有する区間を無音区間として検出する。また、無音検出部１０６は、検出した無音区間のパワーレベルの平均値を算出して、算出した平均値をその無音区間のパワーレベルとする。また、無音検出部１０６は、再生時刻情報保持部１０５から入力される再生時刻に基づいて、検出した無音区間の開始時刻および無音区間の継続時間を算出する。そして、無音検出部１０６は、無音区間のパワーレベル、開始時刻および継続時間を含む無音区間情報を無音情報保持部１０７に出力する。
【００２０】
無音情報保持部１０７は、無音検出部１０６から入力される無音区間情報（パワーレベル、開始時刻および継続時間）を保持する。また、無音情報保持部１０７は、無音区間情報に基づいて、各無音区間の尤度を算出する。例えば、無音情報保持部１０７は、無音区間情報に示されるパワーレベルに基づいて、無音区間の尤度を算出する。そして、無音情報保持部１０７は、無音区間の尤度をさらに加えた無音区間情報（パワーレベル、開始時刻および継続時間、尤度）を設定部１０８に出力する。
【００２１】
設定部１０８は、無音情報保持部１０７から入力される無音区間情報に含まれる無音区間の尤度に基づいて、文区切り位置の候補（文区切候補）を設定する。具体的には、設定部１０８は、無音区間の尤度と閾値保持部１０９が保持する閾値（以下、絞込閾値という）とを比較して、無音検出部１０６で検出された無音区間のうち、絞込閾値以上の尤度を有する無音区間を、音声データの文区切り位置（文区切候補）として設定する。そして、設定部１０８は、無音区間情報（パワーレベル、開始時刻および継続時間、尤度）、および、各無音区間が文区切候補として設定されたか否か（文区切り位置であるか否か）を示す文区切設定情報を含む文区切候補情報を閾値保持部１０９および文区切候補情報保持部１１０に出力する。
【００２２】
閾値保持部１０９は、設定部１０８（または、修正部１１２）が文区切候補を設定（または修正）する際に使用する閾値（絞込閾値）を保持する。また、閾値保持部１０９は、設定部１０８（または、修正部１１２）から入力される文区切候補情報に基づいて絞込閾値を調整する。例えば、閾値保持部１０９は、設定部１０８（修正部１１２）から入力される文区切候補によって区切られる区間（すなわち、有音区間）が、予め設定された閾値（最短閾値）よりも短くなる場合には絞込閾値を増加する。これにより、設定部１０８（修正部１１２）では、文区切り位置に設定される無音区間の数が減少する。また、閾値保持部１０９は、設定部１０８（修正部１１２）から入力される文区切候補によって区切られる有音区間が、予め設定された閾値（最長閾値）よりも長くなる場合には絞込閾値を減少する。これにより、設定部１０８（修正部１１２）では、文区切り位置に設定される無音区間の数が増加する。
【００２３】
文区切候補情報保持部１１０は、設定部１０８から入力される文区切候補情報を保持する。また、文区切候補情報保持部１１０は、修正部１１２から入力される情報に基づいて、保持している文区切候補情報を更新する。また、文区切候補情報保持部１１０は、保持している文区切候補情報を提示部１０３に出力する。
【００２４】
修正指示入力部１１１は、例えばユーザによって操作入力された、文区切りの修正の指示（修正指示）を修正部１１２に指示する。例えば、修正指示入力部１１１には、文区切りの追加を指示する修正指示、または、文区切りの削除を指示する修正指示が入力される。
【００２５】
修正部１１２は、修正指示入力部１１１からの修正指示に従って、文区切候補情報保持部１１０が保持する文区切候補情報に示される文区切りを修正する。ここで、文区切りの追加を指示する修正指示が入力された場合について説明する。修正部１１２は、まず、再生時刻情報保持部１０５から入力される再生時刻に基づいて、修正指示が発生した時刻を特定する。次いで、修正部１１２は、文区切候補情報保持部１１０が保持する文区切候補情報に含まれる無音区間の開始時刻および文区切設定情報に基づいて、修正指示が発生した時刻の直前の文区切り位置（文区切候補として設定された無音区間）と、修正の指示が発生した時刻の直後の文区切り位置（文区切候補として設定された無音区間）との間の区間を、文区切りの修正（追加）の対象区間（以下、修正区間）として特定する。そして、修正部１１２は、文区切候補情報に含まれる無音区間の尤度に基づいて、特定した修正区間内の無音区間（文区切候補として設定されていない無音区間）のうち、最大の尤度を有する無音区間を、文区切り位置として新たに追加する。ここで、特定した修正区間内に最大の尤度を有する無音区間が複数ある場合には、修正部１１２は、最大の尤度を有する複数の無音区間のうち、修正指示が発生した時刻により近い無音区間を文区切り位置として新たに追加するようにしてもよい。
【００２６】
一方、文区切りの削除を指示する修正指示が入力された場合には、修正部１１２は、例えば、文区切候補情報に基づいて、修正指示が発生した時刻の直前の文区切りを削除する。すなわち、修正部１１２は、削除する文区切り位置に対応する無音区間の文区切設定情報を、文区切り位置ではないことを示す情報に修正する。
【００２７】
そして、修正部１１２は、修正した文区切り位置に対応する無音区間の修正内容（追加または削除）を示す情報を文区切候補情報保持部１１０に出力する。
【００２８】
次に、本実施の形態に係る音声編集装置１００（図１）の音声編集処理の詳細について説明する。
【００２９】
以下の説明では、音声編集装置１００の符号化音声データ保持部１０１は、図２に示すように、入力音声データ“年齢はｘｘ才です。夏が好きです。海が好きです。…”を保持している。また、ここでは、例えば、無音区間の尤度は、無音区間のパワーレベルに基づいて算出され、尤度の値が大きいほど、尤度が高いものとする。例えば、図２に示すように、尤度１〜３のうち、尤度３が最も高く、尤度１が最も低い。また、閾値保持部１０９が保持する絞込閾値を‘３’とする。
【００３０】
音声編集装置１００の無音検出部１０６は、図２に示す入力音声データ“年齢はｘｘ才です。夏が好きです。海が好きです。…”のパワーレベルと、予め設定された閾値（検出閾値）とを比較して、検出閾値以下のパワーレベルを有する区間を無音区間として検出する。例えば、図２に示すように、無音検出部１０６は、入力音声データにおいて無音区間１〜無音区間５の５つの無音区間を検出する。ここで、図２に示すように、無音区間以外の区間、つまり、パワーレベルが閾値より大きい区間は有音区間となる。
【００３１】
次いで、無音情報保持部１０７は、無音検出部１０６で検出された無音区間１〜無音区間５の尤度をそれぞれ算出する。例えば、図２に示すように、無音情報保持部１０７は、無音区間１の尤度を１とし、無音区間２の尤度を３とし、無音区間３の尤度を２とし、無音区間４の尤度を１とし、無音区間５の尤度を３とする。
【００３２】
そして、設定部１０８は、無音情報保持部１０７から入力される無音区間情報に含まれる各無音区間の尤度と、閾値保持部１０９が保持する絞込閾値‘３’とを比較して無音区間を絞り込むことで文区切りを設定する。具体的には、図２に示すように、設定部１０８は、無音区間１〜無音区間５の各尤度と、絞込閾値‘３’とを比較し、絞込結果として、絞込閾値‘３’以上の尤度を有する無音区間２および無音区間５を、文区切り位置として設定する。
【００３３】
よって、設定部１０８は、図２に示す無音区間１〜無音区間５のうち、無音区間２および無音区間５が文区切り位置に設定され、無音区間１、無音区間３および無音区間４が文区切り位置に設定されないことを示す文区切設定情報を生成する。そして、設定部１０８は、文区切設定情報を含む文区切候補情報を文区切候補情報保持部１１０に出力する。
【００３４】
また、提示部１０３は、文区切候補情報に基づいて、文区切り位置に設定された無音区間２および無音区間５を提示するように復号部１０２に指示する。これにより、出力部１０４では、図２に示すように、入力音声データを“年齢はｘｘ才です。”と“夏が好きです。海が好きです。”と“…”とに区切った提示音声データが出力される。
【００３５】
ここで、修正指示入力部１１１においてユーザによって操作入力された、文区切りの追加を指示する修正指示が修正部１１２に入力されたとする。
【００３６】
この場合、修正部１１２は、まず、再生時刻情報保持部１０５から入力される再生時刻に基づいて、修正指示が入力された時刻、つまり、修正指示が発生した時刻ｔを特定する。
【００３７】
次いで、修正部１１２は、特定した時刻ｔの直前の文区切り位置と、時刻ｔの直後の文区切り位置との間の区間を、文区切りの修正区間として特定する。すなわち、図２に示すように、修正部１１２は、時刻tの直前の文区切り位置に対応する無音区間２と、時刻ｔの直後の文区切り位置に対応する無音区間５との間の区間（すなわち、音声データ“夏が好きです。海が好きです。”に対応する区間）を、修正区間として特定する。
【００３８】
そして、修正部１１２は、修正区間内に位置する無音区間３および無音区間４のうち、尤度が最も高い無音区間を、音声データの新たな文区切り位置として追加する。すなわち、図２に示すように、修正部１１２は、無音区間３の尤度２と無音区間４の尤度１とを比較して、尤度がより高い無音区間３を、音声データの新たな文区切り位置として追加する。
【００３９】
そして、修正部１１２は、無音区間３を文区切り位置として追加したことを示す情報を文区切候補情報保持部１１０に出力し、文区切候補情報保持部１１０は、保持している文区切候補情報を更新する。
【００４０】
これにより、提示部１０３は、図２に示すように、文区切候補情報に示される文区切り位置（無音区間２、無音区間３および無音区間５）を提示するように復号部１０２に指示する。これにより、出力部１０４では、図２に示すように、入力音声データを“年齢はｘｘ才です。”と“夏が好きです。”と“海が好きです。”と“…”とに区切った提示音声データが編集結果として出力される。
【００４１】
このように、音声編集装置１００は、音声データから検出した無音区間毎の尤度を保持し、文区切りの追加指示が発生した場合には、保持している尤度に基づいて文区切りを追加する。すなわち、音声編集装置１００は、検出した無音区間毎の尤度に基づいて文区切りを設定した後も、文区切り位置として設定されたか否かに関わらず全ての無音区間の尤度をそのまま保持し続ける。これにより、音声編集装置１００は、例えばユーザの操作入力によって文区切りの追加の修正指示が入力された際にも、前回文区切り位置として設定されなかった無音区間毎の尤度に基づいて文区切りを追加することができる。
【００４２】
また、音声編集装置１００は、文区切りの追加の修正指示が発生した時刻の直前の文区切り位置（図２では無音区間２）と、文区切りの追加の修正指示が発生した時刻の直後の文区切り位置（図２では無音区間５）との間の区間を、文区切りの修正区間として特定する。すなわち、音声編集装置１００では、図２に示す無音区間２と無音区間５との間の時間帯で追加指示が発生した場合には、同一の修正区間が特定される。つまり、図２に示す無音区間２と無音区間５との間の時間帯のいずれのタイミングでユーザが文区切りの追加を指示しても、音声編集装置１００では、同一の文区切り位置（図２では無音区間３）が選択される。例えば、図２に示すように、無音区間４の直近の時刻ｔにおいて、文区切りの追加の修正指示が発生する場合でも、音声編集装置１００は、時刻ｔに直近の無音区間４を選択することなく、無音区間３を文区切り位置として正常に選択する。
【００４３】
このように、音声編集装置１００は、修正区間内では、修正指示が発生した時刻に関わらず、修正区間内の無音区間の尤度に基づいて文区切りを新たに追加する。よって、ユーザは、文区切りの追加を、図２に示す無音区間２と無音区間５との間の時間帯で音声編集装置１００に指示すればよい。すなわち、ユーザは、所望の文区切り位置（再生時刻）の直近で文区切りの追加の修正指示を入力しなくてもよく、より広い範囲（時間帯）内で修正指示を入力すればよいため、ユーザの操作性を向上させることができる。
【００４４】
よって、本実施の形態によれば、操作性を向上させて音声データの文区切りを設定することができる。
【００４５】
なお、本発明において、音声編集装置は、音声データから検出した無音区間の尤度に基づいて、文区切りの修正を行う。よって、音声編集装置では、図１に示す無音検出部１０６で検出された無音区間以外は、文区切り位置として設定されない。そこで、音声編集装置は、無音区間を検出する際、一定の時間内で検出される無音区間の数が予め設定された範囲内に収まるように、無音区間の検出に使用する閾値（検出閾値）を調整してもよい。具体的には、音声編集装置は、実際に文区切り位置に該当する無音区間の数よりも多くの無音区間が検出されるように、無音区間の検出に使用する閾値を調整する。例えば、音声編集装置（図１に示す無音検出部１０６）は、一定の時間（例えば、１秒間）内に検出した無音区間の数が一定の範囲内（例えば、１〜２箇所）に収まるように閾値を調整する。これにより、音声編集装置では、無音区間の検出漏れを防ぐことができ、文区切り位置を確実に設定することができる。
【００４６】
また、上記実施の形態では、音声編集装置が、無音区間のパワーレベルに基づいて無音区間の尤度を算出する場合について説明した。しかし、本発明では、音声編集装置は、無音区間のパワーレベルのみに基づいて無音区間の尤度を算出する場合に限らず、例えば、無音区間のパワーレベルおよび継続時間（区間長）に基づいて、無音区間の尤度を算出してもよい。
【００４７】
例えば、ある無音区間のパワーレベルをｘとし、無音区間のパワーレベルの尤度をｙとする。この場合、音声編集装置（図１に示す無音情報保持部１０７）は、パワーレベルの尤度ｙを、ｙ＝ａ／（ｂ＊ｘ＋ｃ）に従って算出する。ここで、ａ，ｂ，ｃは定数であり、定数ｂおよびｃは無音区間の検出に使用する検出閾値の初期値に応じて決定される。上記より、パワーレベルｘが低いほど、パワーレベルの尤度ｙはより高くなる。また、このとき、無音区間のパワーレベルの尤度ｙの最大値はａ／ｃとなる。また、ある無音区間の区間長をｘ’とし、無音区間の区間長の尤度をｙ’とする。この場合、音声編集装置は、無音区間の区間長の尤度ｙ’を、ｙ’＝ｄｘ’に従って算出する。ここで、定数ｄは区間長の係数を示す。すなわち、無音区間の区間長ｘ’が長いほど、区間長の尤度ｙ’はより高くなる。そして、音声編集装置は、（パワーレベルの尤度ｙ）×（区間長の尤度ｙ’）を、無音区間の尤度とする。
【００４８】
また、音声編集装置は、無音区間のパワーレベルの尤度ｙを、上述したｙ＝ａ／（ｂ＊ｘ＋ｃ）に限らず、ｙ＝−ａ＊ｘ＋ｂに従って算出してもよい。ここで、定数ａ，ｂは、ｂ／ａが無音区間の検出に使用する検出閾値の初期値となるように設定される。また、このとき、無音区間のパワーレベルの尤度ｙの最大値はｂとなる。また、音声編集装置は、無音区間の尤度を算出する際、パワーレベルの尤度ｙおよび区間長の尤度ｙ’に対して重み付けを行い、パワーレベルの尤度の重みを、区間長の尤度の重みよりも高くしてもよい。
【００４９】
また、上記実施の形態では、同一の尤度（上記実施の形態では無音区間のパワーレベルに基づく尤度）を用いて、図１に示す設定部１０８が音声データの文区切りを設定し、図１に示す修正部１１２が音声データの文区切りを修正する場合について説明した。しかし、本発明では、図１に示す設定部１０８および修正部１１２は、同一の尤度を用いずに、文区切り位置の設定時と修正時とで互いに異なる尤度を用いてもよい。例えば、図１において、設定部１０８は、無音区間のパワーレベルに基づいて算出される尤度を用いて文区切りを設定し、修正部１１２は、無音区間のパワーレベルおよび区間長に基づいて算出される尤度を用いて文区切りを修正してもよい。
【００５０】
また、本発明において、音声編集装置は、音声データの文区切り位置に設定した無音区間の尤度に応じて、文区切り位置に設定した無音区間の再生時間を伸長してもよい。これにより、文区切り位置に設定した無音区間の再生時間は、文区切り位置に設定した無音区間以外の区間の再生時間よりも伸長されて出力される。つまり、文区切り位置に設定した無音区間の再生時間が長くなることにより、無音区間で区切られたデータ（文単位で分割された音声データ）間の時間間隔が長くなる。よって、音声編集装置では、ユーザは、音声データの文区切り位置を特定しやすくなるため、文区切りの追加または削除の判断が容易となるため、ユーザの操作性をより向上させることが可能となる。また、尤度に応じて無音区間を伸張する場合、音声編集装置は、無音情報保持手段に格納された無音区間の時間に、伸張された時間を加味して文区切りの候補を選択してもよい。
【産業上の利用可能性】
【００５１】
本発明は音声編集装置を備えた携帯端末装置等に有用である。
【符号の説明】
【００５２】
１００  音声編集装置
１０１  符号化音声データ保持部
１０２  復号部
１０３  提示部
１０４  出力部
１０５  再生時刻情報保持部
１０６  無音検出部
１０７  無音情報保持部
１０８  設定部
１０９  閾値保持部
１１０  文区切候補情報保持部
１１１  修正指示入力部
１１２  修正部
【図１】
2011022214.tif 000003
【図２】
2011022214.tif 000004